【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
選択された構造用建築部材の上に、その部材と共にその２つの設計逐次的動作タスクモード―ピッキングおよび積重ね整合―のいずれか一方または両方を逐次的に実行するために、固定可能に取り付け可能な、複合用途すなわち（ａ）把持および捕捉と（ｂ）積重ね整合カム動作とを持ち特殊形状のプロファイルを持つ回転体を有する二重モードの逐次的タスク動作、ピッキングおよび積重ね整合突耳と、
突耳が（ａ）選択された構造用建築部材の上に固定可能に取り付けられ、（ｂ）その二重モード動作機能のピッキングカテゴリでそのように固定されて機能する動作状況で、突耳及びそのプロファイルを協働的に捕捉して受容及び閉鎖するように適応された椀状部を含む、開閉自在の柄杓形部分を有するクラムシェル形の解放自在に係止可能な留め具と、
突耳を有する状況で突耳の積重ね整合カム動作プロファイルをカム動作により受容するように形作られ、次いで突耳が、その二重モード動作機能の積重ね整合において機能し、こうして、上述のような突耳をその頂部に固定されている下部部材の頂部に上部部材を取り付けるために上部部材を下降させることに関連する建築製作手順において、２つの構造用建築部材の上部積重ね整合をもたらす、上部構造用建築部材の基部に含まれることができるガイドソケット構造と、
を含む、様々な構造用建築部材を取扱うためのシステム。
【請求項２】
頂部とそのような頂部の中心に延びる直立中心軸とを有する構造用建築部材の二重タスク取扱いを可能にするために、建物の建設中に使用可能なシステムであって、
中心軸を持つ回転体と、（１）１つの最大外径を有する含まれる頭部、（２）長手方向中心部で径方向に差し込まれ、周囲を取り囲み、前記頭部より下に配置されそれに接合され、より小さい長手方向中心外径を有する環状溝部、および（３）前記溝部の下に配置されそれに接合され、前記溝部の前記中心外径より大きい別の最大外径を有し、径方向外向きに広がる基部、によって前記回転体内に画定される長手方向の把持および捕捉プロファイルとを有する、ピッキングおよび積重ね整合の二重モードで逐次的タスク動作する細長い突耳を備え、
前記突耳は、前記突耳の中心軸が前記選択され突耳がそこに固定される建築部材の中心軸に略位置合わせされた状態で、前記突耳の前記基部を介して、第１の選択された構造用建築部材の頂部に対し、前記頂部に相対的な配置で固定可能であり、こうして、そのように固定されたときに、別の逐次的タスクピッキングおよび積重ね整合突耳が同様にその頂部に固定された第２の上部構造用建築部材を前記第１の部材の上に上部積重ね連結するために、（ａ）前記部材のピッキングおよび移送、ならびに（ｂ）選択的なその後の上部積重ね整合、の両方を可能にする、
システム。
【請求項３】
各突耳の前記頭部は上向きの略円錐形上部カム面を有し、前記第２の上部部材は部材基部を有し、前記装置はさらに、（ａ）前記第２の部材の前記部材基部に備えられ、（ｂ）前記第２の部材の中心軸に中心を合わせた中心軸を持つ回転体を有し、かつ（ｃ）前記第２の上部部材を前記第１の部材の頂部に向けて下降させたときに、前記第１の部材の頂部に固定された前記突耳の前記カム面を自由に受容し、それとカム誘導係合することを介して、前記２つの部材の積重ね整合を支援するように構成された、ガイドソケットを含む、請求項２に記載のシステム。
【請求項４】
前記第１の部材は支柱用の地上支持体の形を取り、かつ前記第２の部材が支柱の形を取る、請求項３に記載のシステム。
【請求項５】
前記第１および第２の部材は各々支柱の形を取る、請求項３に記載のシステム。
【請求項６】
前記装置は、連携して前記突耳およびそのプロファイルを捕捉するように受容して閉じるように適応された椀状部を含む１対の蝶着された開閉自在の柄杓形留め具部分と、前記留め具部分上に摺動自在に取り付けられ、受容されかつ捕捉自在に閉じ込められた突耳に対して、前記椀状部を密に囲繞することを介して前記留め具部分を閉状態に係止するように解放自在にかつ選択的に動作可能であり、それによって前記椀状部が前記突耳を確実に把持し捕捉するようになる、解放自在の係止リングとを有する、クラムシェル形の解放自在に係止可能な留め具をさらに備えた、請求項２に記載のシステム。
【請求項７】
複合躯体構築プロジェクト、および機能的にプロジェクトに関与する関連構造部材取扱いシステムであって、前記プロジェクトは、相互に協働状態で、かつプロジェクトの特定の製作段階に関連して、
事前組立上部架構モジュール上に下降させてその上に積み重ねて取り付けさせる準備が整った、頂部および中心直立軸を持つ細長い直立支柱の規定パターンを備えた部分を有する、地上支持構造躯体アセンブリと、
地上支持架構部の各支柱の頂部に固定された中心軸を有するピッキングおよび積重ね整合の二重機能の突耳であって、突耳の中心軸は頂部に突耳が固定される支柱の中心軸と位置合わせされ、取り付けのために下降される事前組立上部架構モジュールに対してプロジェクトで積重ね整合を促進するように機能する態勢が整った突耳と、
地上支持架構部上に上部取り付けを行うように意図された事前組立架構モジュールであって、地上支持架構部に存在する支柱パターンと厳密に一致する細長い直立支柱のパターンを備え、架構モジュールの支柱は基部および頂部ならびにそれぞれの中心直立軸を有し、上述したプロジェクトの特定の製作段階に関連して地上支持架構部の上に準備される架構モジュールと、
架構モジュールの各支柱の基部に備えられ、その支柱の長軸を中心とする中心軸を持つ回転体を有し、架構モジュールを地上支持架構部に向かって適切に下降させたときに、地上支持架構部の下部支柱の頂部に固定されたピッキングおよび積重ね整合突耳を誘導して受容するように適応された、ピッキングおよび積重ね整合突耳受容ガイドソケットと、
架構モジュールの各支柱の頂部に固定され、架構モジュールの保持および操縦の達成に関してプロジェクトにおけるピッキングのために機能するように使用される、上述したタイプの細長いピッキングおよび積重ね整合突耳と、
架構モジュールの支柱の頂部に固定された各突耳と提携して、関連支柱および前記支柱を含む架構モジュール全体の両方を協働してピッキングする取扱いを行うために突耳を確実に、安全に、かつ解放自在に掴持するクラムシェル形の解放自在に係止可能な留め具と、
各留め具に適切かつ操作可能に接続され、架構モジュールの支柱が全て地上支持架構部の支柱と精密に位置合わせする地上支持架構部の上の位置まで架構モジュールを操縦するように動作可能であり、かつそのような位置合わせが達成された状態で、架構モジュールを地上支持架構部に対して、地上支持架構部に関連する突耳と架構モジュールに関連する突耳受容ソケットとの間の積重ね整合係合を介する重力着座積重ね整合の状態まで下降させるように動作可能である、操縦可能なケーブル懸吊構造と、
を含む、複合躯体構築プロジェクト、および機能的にプロジェクトに関与する関連構造部材取扱いシステム。
【請求項８】
突耳は、第一取付け板の中心に取り付けられている、請求項２に記載のシステム。
【請求項９】
第一取付け板は、第一取付け板を別の板にボルト締めするための貫通穴を有する、請求項８に記載のシステム。
【請求項１０】
第一取付け板は、突耳の中心軸が支柱の中心長手軸と一致するように支柱の上に取り付けられている、請求項８に記載のシステム。
【請求項１１】
ベースを有する支柱、及び前記支柱のベースの上に取り付けられた第二取付け板をさらに含み、前記第二取付け板は、第一取付け板と同じパターンの貫通穴を有する、請求項９に記載のシステム。
【請求項１２】
第二取付け板は、中心に取り付けられたガイドソケットを有する、請求項１１に記載のシステム。
【請求項１３】
ソケットは、切頭側壁を有する、請求項１２に記載のシステム。
【請求項１４】
ソケットは、円錐側壁を有する、請求項１２に記載のシステム。
【請求項１５】
ソケットは、フラットトップを有する、請求項１２に記載のシステム。